(57)【要約】【課題】光学素子により配光された所定の光を遮光するための光学設計を、容易に行うことのできる照明器具を提供する。【解決手段】単一のレンズ部５で覆われたＬＥＤ、または各々がレンズ部５で個別に覆われた複数のＬＥＤを同一面内に備え、レンズ部５で配光した光のうち、所定方向に出射される光を遮るための遮光部材５０を、各レンズ部５に対応させて、各レンズ部５に接近させて配置した。【選択図】図１
2014116143.tif 000002
【特許請求の範囲】
【請求項１】
単一の光学素子で覆われた発光素子、または各々が光学素子で個別に覆われた複数の発光素子を同一面内に備え、前記光学素子で配光した光のうち、所定方向に出射される光を遮るための遮光部材を、各光学素子に対応させて、各光学素子に接近させて配置したことを特徴とする照明器具。
【請求項２】
前記発光素子が配置された基板と、前記光学素子が形成されたグローブと、前記遮光部材とが重ねて配置され、
前記遮光部材の重ねた部分が、前記グローブを通過する漏れ光を遮ることを特徴とする請求項１に記載の照明器具。
【請求項３】
前記遮光部材が、板材を打ち抜いて形成されて前記光学素子を突出させる開口部と、前記板材の開口部近傍の一部を切り起こして形成した遮光片とを備えることを特徴とする請求項１又は２に記載の照明器具。
【請求項４】
前記遮光部材の複数の遮光片が一方向に同一角度で傾斜していることを特徴とする請求項３に記載の照明器具。
【請求項５】
グレアを抑制するためのグレア抑制部材を設けたことを特徴とする請求項１乃至４のいずれか一項に記載の照明器具。
【発明の詳細な説明】
【技術分野】
【０００１】
本発明は、照明器具において、所定方向に対する遮光を実現する技術に関する。
【背景技術】
【０００２】
従来、複数のＬＥＤ素子の各々を個別に光学レンズで覆い、光学レンズによりＬＥＤの放射光を配光する照明器具が知られている。
この種の照明器具においては、ＬＥＤ素子を覆うランプカバーに光学レンズを一体に設ける技術が提案されている（例えば、特許文献１参照）。
【先行技術文献】
【特許文献】
【０００３】
【特許文献１】特開２０１１−１００７２１号公報
【発明の概要】
【発明が解決しようとする課題】
【０００４】
ところで、上記照明器具では、ＬＥＤ素子が放射する光のうち、器具の背後に向う光を有効に利用できず、また、所望の照射エリアでの照度を高めることが困難である。さらに照明器具が防犯灯であれば、防犯灯が設置される周囲環境としては、例えば、街路の外側に隣接して家屋が建てられていたり、街路の外側に隣接して田んぼや畑があったりする場合がある。防犯灯の光が家屋に入り込むと、住人の生活サイクルを乱す要因となる。また、街路の外側に隣接して田んぼや畑に光が漏れると、漏れた光が農作物の生長に悪影響を及ぼしたり、光に集まってくる害虫が、農作物に被害を及ぼしたりする要因となるという課題がある。このような光害を回避するため、防犯灯の背後への光の照射を抑制したいという要求がなされる場合がある。
所定方向に光を向けたくない場合、所定方向に向かう光を光学レンズの配光により制限できるものの、遮光することは難しい。
光学レンズに共通の遮光部材を設けて、所定方向に向かう光を遮光することが考えられるが、光学レンズで遮光された光を遮光するための光学設計をできるだけ容易に行いたいというニーズがある。
【０００５】
この発明は、上記の課題を解決するためになされたものであり、レンズにより配光された所定の光を遮光するための光学設計を、容易に行うことのできる照明器具を提供することを目的とする。
【課題を解決するための手段】
【０００６】
上記目的を達成するために、本発明は、単一の光学素子で覆われた発光素子、または各々が光学素子で個別に覆われた複数の発光素子を同一面内に備え、前記光学素子で配光した光のうち、所定方向に出射される光を遮るための遮光部材を、各光学素子に対応させて、各光学素子に接近させて配置したことを特徴とする。
【０００７】
単一の発光素子、または複数の発光素子を同一面内に備えることで、光学素子設計が容易化し、照明器具の光学設計が容易化する。一個の発光素子を単位として、この発光素子の個数を増すだけで、発光量の大きい照明器具を設計できる。所定方向に出射される光を遮るための遮光部材を、各光学素子に対応させて配置するため、所定方向に向かう光を簡単に遮光することができ、遮光部材を、各光学素子に接近させて配置するため、照明器具のコンパクトな設計が可能となる。また、光学素子により配光された直後の光が、遮光部材に入射されることになるので、遮光すべきエリアを遮光するための遮光部材の光学設計を容易に行うことができる。
【０００８】
この場合において、前記発光素子が配置された基板と、前記光学素子が形成されたグローブと、前記遮光部材とが重ねて配置され、前記遮光部材の重ねた部分が、前記グローブを通過する漏れ光を遮るようにしてもよい。
この構成では、前記発光素子が配置された基板と、前記光学素子が形成されたグローブと、前記遮光部材とを重ねて配置するだけで、所定方向に向かう光を遮光する機能を有するフラット光源を簡単に製造できる。前記グローブに光学素子が一体化される場合、前記グローブの光学素子以外の部分にも漏れ光が通過することとなるが、この構成では、遮光部材の重ねた部分が、漏れ光を遮光するため、当該光が外に漏れることが抑制される。
【０００９】
前記遮光部材が、例えば一枚の板材を打ち抜いて形成されて前記光学素子を突出させる開口部と、前記板材の開口部近傍の一部を切り起こして形成した遮光片とを備えるようにしてもよい。この遮光片付きの遮光部材の製造が容易となる。
また、本発明は、上記照明器具において、前記遮光部材の複数の遮光片が一方向に同一角度で傾斜していてもよい。
複数の光学素子において、各光学素子構成が例えば同一形態であれば、複数の遮光片が一方向に同一角度で傾斜することで、遮光部材の設計が容易となり、この遮光部材をグローブに重ねるだけで、フラット光源を容易に製造できる。
【発明の効果】
【００１０】
本発明の照明器具によれば、遮光部材が、各光学素子に対応させて、各光学素子に接近させて配置されるので、光学素子により配光された直後の光が、遮光部材に入射されることになるので、遮光すべきエリアを遮光するための遮光部材の光学設計を容易に行うことができる。
【図面の簡単な説明】
【００１１】
【図１】本発明の第１実施形態に係る防犯灯の設置態様を示す図である。
【図２】防犯灯の上方斜視図である。
【図３】防犯灯の構成を示す図であり、（Ａ）は平面図、（Ｂ）は側面図、（Ｃ）は底面図、（Ｄ）は正面図、（Ｅ）は背面図である。
【図４】図３（Ｃ）のＩＶ−ＩＶ線断面図である。
【図５】図３（Ｃ）のＶ−Ｖ線断面図である。
【図６】防犯灯の分解斜視図である。
【図７】グローブを基板ベース部に向けられる面から見た斜視図である。
【図８】グローブ及びＬＥＤ基板の構成を示す図であり、（Ａ）はレンズの平面図、（Ｂ）は（Ａ）のＤ１−Ｄ１矢視断面図、（Ｃ）は（Ａ）のＤ２−Ｄ２矢視断面図、（Ｄ）はレンズの斜視図である。
【図９】第２全反射面に反射される光の配光を説明する図である。
【図１０】第１全反射面に反射される光の配光を説明する図である。
【図１１】街路に沿った方向に隣接して設置された防犯灯の設置態様を示す図であり、第５制御面で屈折して出射される光の光線図を併せて図示している。
【図１２】図１のＸＩＩ−ＸＩＩ矢視要部断面図である。
【図１３】遮光部材の構成を示す図であり、（Ａ）は平面図、（Ｂ）は側面図、（Ｃ）は正面図である。
【図１４】遮光部材の前後を逆にした防犯灯を示す図である。
【図１５】本発明の第２実施形態に係る防犯灯の斜視図である。
【図１６】本発明の第３実施形態に係る防犯灯の斜視図である。
【図１７】図１６のＸＶＩＩ−ＸＶＩＩ矢視要部断面図である。
【図１８】本発明の第４実施形態に係る防犯灯の断面図である。
【発明を実施するための形態】
【００１２】
以下、本発明の実施形態について図面を参照して説明する。
［第１実施形態］
図１は本発明の第１実施形態に係る防犯灯１の設置態様を示す図である。
照明器具たる防犯灯１は、図１に示すように、街路８の街路脇８Ａに立設された支柱９に取り付けられ、夜間に点灯し、街路８が延びる街路方向Ｇに広い範囲を照らす器具である。防犯灯１は、その照射範囲の全域において、街路８の路面８Ｒの水平面照度および路面８Ｒから所定高さ（例えば１．５メートル）の鉛直面照度で規定の明るさが得られるように設計されている。
本実施形態の防犯灯１は、所定方向に向かう光を遮光する後述の遮光部材を有しているが、まず、遮光部材５０以外の構成について図面を参照しつつ説明する。
【００１３】
図２は防犯灯１の上方斜視図である。また図３は防犯灯１の構成を示す図であり、図３（Ａ）は平面図、図３（Ｂ）は側面図、図３（Ｃ）は底面図、図３（Ｄ）は正面図、図３（Ｅ）は背面図である。
なお、図２及び図３では、遮光部材５０の図示を省略している。
防犯灯１は、図１〜図３に示すように、器具本体３０と、支持アーム部３とを備えている。器具本体３０は概略板状に形成され、その底面３０Ａの略全域から照明光を照射する。
支持アーム部３は、器具本体３０の天面３０Ｂに設けられ、図１に示すように、この器具本体３０の底面３０Ａを路面８Ｒに対して、２０°程度傾斜させる姿勢で器具本体３０を支柱９に支持する。
この支持アーム部３は、図２、及び図３に示すように、アーム本体３Ａと、ブラケット７とを有する。アーム本体３Ａは中空の柱状体であり、その一端部３Ｂが器具本体３０の天面３０Ｂに接続され、他端部３Ｃには、支柱９への固定用のブラケット７が取り付けられている。
【００１４】
図４は図３（Ｃ）のＩＶ−ＩＶ線断面図、図５は図３（Ｃ）のＶ−Ｖ線断面図、また図６は防犯灯１の分解斜視図、図７はグローブ６を基板ベース部２に向けられる面から見た斜視図である。なお、図４、図５、及び図７では、遮光部材５０の図示を省略している。
器具本体３０は、これらの図に示すように、基板ベース部２と、ＬＥＤ基板２１と、グローブ６とを備えている。
基板ベース部２は、略矩形の厚さＴ（図４）が薄い板状に形成されており、図６に示すように、その底面には、出射開口２Ａが形成され、出射開口２Ａの底部の主要部が、ＬＥＤ基板２１を取り付ける取付け面１０とされている。出射開口２Ａは、基板ベース部２の縁部近傍を残して、基板ベース部２の底面の略全域に形成されている。また基板ベース部２の上面は、器具本体３０の天面３０Ｂを構成し、この上面に、図４、及び図５に示すように、上記アーム本体３Ａが一体に形成されている。
【００１５】
ＬＥＤ基板２１は、略矩形の回路実装基板であり、例えば、その通電部（不図示）は、高熱伝導性の銅箔からなり、その他の絶縁部（不図示）は樹脂からなる基板が用いられている。図６に示すように、ＬＥＤ基板２１の実装面２１Ａには、発光素子たる複数のＬＥＤ２２が載置（実装）されている。ＬＥＤ２２には、リフレクターの中にＬＥＤチップを配置し、樹脂で封止した、いわゆる表面実装型ＬＥＤが用いられている。ＬＥＤ２２は、実装面２１Ａ内に整列配置されており、特に、各々の発熱によって実装面２１Ａの全面が略均一な温度となる間隔で配置されている。
【００１６】
また、基板ベース部２の取付け面１０は、このＬＥＤ基板２１と略同じ、或いは若干大きく構成され、この取付け面１０にＬＥＤ基板２１の裏面全体を密着させて取り付けられる。この基板ベース部２は、少なくとも取付け面１０の熱を天面３０Ｂに伝達可能な高熱伝導性を有する、例えばアルミニウム合金等の材料で形成されている。したがって、ＬＥＤ２２の発熱はＬＥＤ基板２１、及び取付け面１０を通じて天面３０Ｂに伝わり外気に放熱される。このとき、天面３０Ｂには、少なくともＬＥＤ基板２１を含む広範囲に熱が伝えられるから、天面３０Ｂの略全面を使ってＬＥＤ２２の発熱が効率良く放熱される。
【００１７】
この天面３０Ｂには、上述のアーム本体３Ａを一体成型して設けており、図４、及び図５に示すように、このアーム本体３Ａの中に、電源装置３４が収められている。電源装置３４は、商用電力を直流電力に変換してＬＥＤ２２の点灯電力を生成する電源回路３５を備え、アーム本体３Ａの他端部３Ｃから引き出された電線３８を通じて商用電力が供給されている。
アーム本体３Ａの内部には、図１に示すように、一端部３Ｂ側の上部に、センサ用遮光窓を構成するブッシング３９が挿入されている。また、図４に示すように、アーム本体３Ａの内部には、明るさセンサ４０がブッシング３９に対応する位置に設けられている。明るさセンサ４０には、センサ用遮光窓を介して外部の光が入射され、明るさセンサ４０は、アーム本体３Ａの周囲の明るさを検知可能となっている。電源装置３４には、明るさセンサ４０の検知信号に基づき、周囲の明るさに応じて電源回路３５を制御し点灯／消灯を行う点灯回路が設けられており、これにより、自律的な点灯制御が行われる。
【００１８】
グローブ６は、基板ベース部２の底面の側を覆って閉塞する板状の透明部材であり、例えば樹脂材やガラスで形成されている。図６に示すように、この防犯灯１ではグローブ６が基板ベース部２の底面と略同じ大きさの板状に形成されており、その左右両側の縁部６Ａには、複数の爪部２５が設けられている。基板ベース部２の天面３０Ｂには、図５に示すように引掛孔２６が設けられている。引掛孔２６にグローブ６の爪部２５が引っ掛かけられて、グローブ６が基板ベース部２の出射開口２Ａを覆って取り付けられる。さらに、グローブ６は、図３及び図４に示すように、その外周部を、基板ベース部２にねじ１７により締結されて、基板ベース部２に本固定される。
【００１９】
この天面３０Ｂに設けた引掛孔２６は、図５に示すように、基板ベース部２の底面側に貫通するため、引掛孔２６から水が浸入し取付け面１０に至る虞がある。そこで、この基板ベース部２は、引掛孔２６と取付け面１０との間を通って、当該取付け面１０を取り囲むようにパッキン嵌込溝１３が設けられており、このパッキン嵌込溝１３にパッキン１４（図６には図示せず）が嵌め込まれている。
また、グローブ６には、図７に示すように、このパッキン嵌込溝１３に挿入される環状のパッキン押圧リブ２７が設けられている。図４及び図５に示すように、このパッキン押圧リブ２７とパッキン１４とが密着することで取付け面１０がシールされ防水が図られる。
このとき、取付け面１０とグローブ６の間の空間、すなわち、ＬＥＤ基板２１が配置されている空間は、パッキン１４によって断熱されることからグローブ６の側からＬＥＤ２２の発熱が放熱されず、その発熱の大部分が取付け面１０を通じて天面３０Ｂに伝達されて放熱されることとなる。また、グローブ６には、パッキン押圧リブ２７を囲む環状の強化リブ２８が形成されて、グローブ６の剛性が高められている。
【００２０】
また、この防犯灯１のグローブ６には、その外側の面内に、ＬＥＤ２２の各々に対応した位置に光学素子たるレンズ部（レンズ）５が一体に設けられている。各々のレンズ部５は、ＬＥＤ２２の放射光を配光する透過型の光学部材であり、これらのレンズ部５をグローブ６の外側に設けることで、ＬＥＤ基板２１とグローブ６の間の隙間を縮め、器具本体３０の底面３０Ａから天面３０Ｂまでの厚みＴが抑えられる。
また、全てのレンズ部５は、グローブ６の同一平面（以下、レンズ突出面６Ｂとする）に一体に設けられて、レンズ突出面６Ｂから突出されている。このレンズ突出面６Ｂは、出射開口２Ａと概略面一に配置されており、レンズ部５の全部が出射開口２Ａから突出されている。このため、レンズ部５から出射される光が、出射開口２Ａを構成する基板ベース部２の壁面に遮られることがなくなり、器具効率が向上する。また、出射開口２Ａと平行な方向に光をレンズ部５から出射することが可能となる。
また、レンズ部５によりＬＥＤ２２が放射する光を配光することから、ＬＥＤ２２とレンズ部５とは、精度よく所定の位置関係に配置する必要がある。
ＬＥＤ２２及びレンズ部５のそれぞれは、光学設計の基準位置となる光学基準点位置を有している。ＬＥＤ２２の光学基準点位置は、発光点の光軸であり、レンズ部５の発光基準点位置は、光学中心である。
本実施形態は、ＬＥＤ２２の光学基準点位置と、レンズ部５の光学基準点位置とが一致する位置で、ＬＥＤ基板２１とグローブ６を基板ベース部２に対して精度よく位置決めする位置決め機構を有している。
【００２１】
位置決め機構は、図６に示すように、基板ベース部２に設けられる突体としての棒状の位置決めピン３１と、ＬＥＤ基板２１に形成された一対の貫通穴３２と、図７に示すように、グローブ６に設けられ、位置決めピン３１を受ける筒状受け部４６と、によって構成されている。
位置決めピン３１は、図４に示すように、基板ベース部２の取付け面１０に一対立設されている。位置決めピン３１の立設方向は、ＬＥＤ２２の光軸方向Ｋ（図８、図９参照）に一致させている。
ＬＥＤ基板２１の貫通穴３２には、位置決めピン３１が嵌められて、位置決めピン３１は、ＬＥＤ基板２１を貫通している。貫通穴３２の内形は、位置決めピン３１の外形に略一致している。ＬＥＤ基板２１は、取付け面１０に平行な方向に移動することが規制されて、基板ベース部２に対して所定位置に精度よく位置決めされる。なお、ＬＥＤ基板２１は、その中央をねじ１６により一か所固定されている。
【００２２】
また、グローブ６の筒状受け部４６の穴には、図７に示すように、ＬＥＤ基板２１の貫通穴３２を貫通した位置決めピン３１が嵌められている。
筒状受け部４６の穴の内形は、位置決めピン３１の外形に略一致しており、グローブ６が取付け面１０に平行な方向に移動することが規制されて、基板ベース部２に対して所定の位置に精度よく位置決めされる。
ここで、ＬＥＤ基板２１とグローブ６が基板ベース部２に位置決めされたときに、ＬＥＤ２２の光学基準点位置と、レンズ部５の光学基準点位置とが重なるように、ＬＥＤ２２のＬＥＤ基板２１上の位置、及びレンズ部５のグローブ６での形成位置が設計されている。このため、ＬＥＤ基板２１とグローブ６とが、ＬＥＤ２２の光学基準点位置とレンズ部５の光学基準点位置を一致させる位置に精度よく位置決めされる。また、光軸方向Ｋを、位置決めピン３１の立設する方向に一致させているので、特に、ＬＥＤ２２の光軸に対するレンズ部５の位置を精度よく合わせることができる。
【００２３】
また、グローブ６は、図３、図４、及び図７に示すように、ＬＥＤ基板２１の外周を押圧する基板押圧部４４を備えている。
ここでは、基板押圧部４４は、すべてのＬＥＤ２２を取り囲んで押圧する枠状となっている。基板押圧部４４は、ＬＥＤ２２を一つずつ取り囲むように複数を設けてもよいし、ＬＥＤ２２を複数のグループに分けてグループごとにＬＥＤ２２を取り囲むように設けてもよい。
また、筒状受け部４６は、レンズ部５に対応する箇所を避けてグローブ６に形成された溝３６に突設されており、基板押圧部４４よりもＬＥＤ基板２１側に突出していない。このため、基板押圧部４４をＬＥＤ基板２１に押し付けてグローブ６を配置することができ、ＬＥＤ基板２１が反っていた場合でも、ねじ１７により、グローブ６を基板ベース部２に締め付けることによって、ＬＥＤ基板２１の外周部が基板押圧部４４に押圧されるので、ＬＥＤ基板２１の反りは強制的に解消される。即ち、基板押圧部４４でＬＥＤ基板２１を押圧することにより、ＬＥＤ基板２１の反りが解消され、ＬＥＤ２２の光学基準点位置と、レンズ部５の光学基準点位置とが一致して重ね合わされる位置にＬＥＤ基板２１とグローブ６とが精度よく位置決めされる。
【００２４】
次いで、レンズ部５とＬＥＤ２２の構成の詳細について説明する。
図８はグローブ６及びＬＥＤ基板２１の構成を示す図であり、図８（Ａ）はレンズ部５の平面図、図８（Ｂ）は図８（Ａ）のＤ１−Ｄ１矢視断面図、図８（Ｃ）は図８（Ａ）のＤ２−Ｄ２矢視断面図、図８（Ｄ）はレンズ部５の斜視図である。
レンズ部５とＬＥＤ２２のそれぞれは、図６に示すように、平行な列線Ｌ１，Ｌ２に沿って二列に配列されている。レンズ部５とＬＥＤ２２の数は、合計１２個であり、各列にそれぞれ６個が並べられている。なお、防犯灯１は、列線Ｌ１、Ｌ２の延びる方向を、高さ方向から見て図１に示す街路幅方向Ｗに一致させて街路脇８Ａに設けられる。
【００２５】
図８（Ｂ）、及び図８（Ｃ）に示すように、基板押圧部４４の内周側では、グローブ６とＬＥＤ基板２１との間に空洞２９が形成されている。空洞２９は、グローブ６とＬＥＤ基板２１との間に形成される隙間Ｓと、隙間Ｓに開口するＬＥＤ挿入部２９Ａと、を有している。ＬＥＤ挿入部２９Ａは、図７に示すように、矩形形状の開口を有するとともに、図８（Ｂ）に示すように、断面放物線状の内面を有している。この内面は、図８（Ｃ）に示すように、一様な形状を保って列線Ｌ１，Ｌ２の方向に延在し、ＬＥＤ２２が放射する光の入射面２９Ｂとなっている。ＬＥＤ挿入部２９Ａは、両端部近傍で浅く形成されており、ＬＥＤ挿入部２９Ａの両端近傍でのレンズ部５の厚みが確保されて、レンズ部５の強度の低下が抑制されている。
また、隙間Ｓは、特にレンズ部５とＬＥＤ基板２１との間のスペースを保つものであり、ＬＥＤ基板２１とレンズ部５との干渉を回避する。ＬＥＤ２２は、この隙間Ｓよりわずかに厚い高さ調整部材たるセラミック基板３７に搭載されて、ＬＥＤ挿入部２９Ａ内に配置されている。なお、高さ調整部材は、セラミック基板３７に代え、樹脂基板などを用いてもよい。
【００２６】
また、ＬＥＤ２２は、図８の（Ａ）に示すように、電圧印加により光を放射するＬＥＤチップ２３を蛍光体と透明の樹脂２４で封止した構成である。ＬＥＤチップ２３には、電圧が印加される一対の電極２３Ａが設けられている。一対の電極２３Ａの対面方向は、高さ方向から見て街路方向Ｇに直交する方向に設定されている。ＬＥＤチップ２３が放射する光は、一対の電極２３Ａに進路を妨げられるので、一対の電極２３Ａが対面する方向に関し、一対の電極２３Ａの外側に向かう光が少なくなる。一方、街路方向Ｇに対しては、ＬＥＤチップ２３から放射する光の進路を妨害するものがない。そこで、一対の電極２３Ａが対面する方向を、街路幅方向Ｗに一致させることで、ＬＥＤチップ２３が放射する光のうち、街路方向Ｇに向かう光は、電極２３Ａに妨げられることがなくない。このため、ＬＥＤ２２が放射する光の照度分布は、街路方向Ｇに沿った方向への広がりを有し、街路方向Ｇの両側に向かう光を放射するのに好適となる。
【００２７】
次いで、レンズ部５の形状及びレンズ部５による光の配光制御について説明する。
レンズ部５の外面５Ｃ（出射面）には、図８に示すように、適宜にカットされた光の制御面２０（光学制御部の形成面）が配置されている。制御面２０は、街路方向Ｇに沿った方向についてのレンズ部５の中心の両側で対称に形成される。
制御面２０は、街路方向Ｇ（ここでは、列線Ｌ１，Ｌ２と直交する方向）に向かう光を制御する第１制御面２０Ａ、２０Ｂと、街路幅方向Ｗで、かつ路面８Ｒに向かう光を制御する第２制御面２０Ｃと、を備えている。また、第１制御面２０Ａ、２０Ｂの延長面上には、街路方向Ｇに向かう光を制御する第３制御面２０Ｄ、２０Ｅが形成されている。
制御面２０Ａ〜２０Ｅは、ＬＥＤ２２と相対する位置に配置されており、ＬＥＤ２２の光軸方向から見た光出射面内において、ＬＥＤ２２が放射する光が入射される屈折部を構成する。
また、制御面２０Ａ〜２０Ｅを通る光は、ここで屈折して図１に示す街路８の路面８Ｒに拡散される。拡散された光は、防犯灯１の設置箇所を中心として、街路方向Ｇに沿った方向について、防犯灯１の両側に広がるエリアＥを含む照射エリアを照射する。複数の制御面２０Ａ〜２０Ｅにより、路面８Ｒにおける器具の近傍の照射エリア８Ｒ１（図１１参照）での水平面照度が確保される。
【００２８】
ここで、第３制御面２０Ｄ、２０Ｅは、レンズ部５の突出端側から側面にかかる部位に位置する肩部の表面を構成するが、小さな曲率半径で面形状を変化させると配光制御が困難となる。本実施形態では、第３制御面２０Ｄ、２０Ｅは、図８（Ｂ）、図８（Ｄ）に示しように、レンズ部５の側面に向かってレンズ部５の基端側に傾斜する平面により構成されている。これにより、第３制御面２０Ｄ、２０Ｅから出射される照射光の配光制御が容易となり、照射先でのムラを抑制できる。
【００２９】
また、光の制御面２０は、街路８の内側と逆側（器具本体３０の背後側）に向かう光を遮蔽する一対の第４制御面２０Ｆ、２０Ｇを備えている。第４制御面２０Ｆ、２０Ｇは、ＬＥＤ２２の光軸方向Ｋの外縁部から投影されるＬＥＤ２２の範囲の外側に外れた位置で、しかも、街路８の内側とは逆側に外れた位置に配置される。
第４制御面（以下、第１全反射面部という）２０Ｆ、２０Ｇは、その下方の内面５Ｂから入射した光を全反射して街路８側に光を配光する。
第１全反射面部２０Ｆ、２０Ｇは、図８（Ａ）、図８（Ｂ）に示すように、レンズ部５の幅方向の中央の両側に、器具本体部の背後に向かって延びるように設けられた概略断面台形状の一対の柱状レンズ部１９の対向面により構成されている。また、投影面内において、第１全反射面部２０Ｆ、２０Ｇは、図８（Ａ）に示すように、器具本体３０の背後側に向かうにつれて外広がりのＶ字状であり、その開き角θが大きい程、街路８の正面側に光が配光され、その開き角θが小さい程、街路方向Ｇに光が配光される。図８（Ｂ）に示すように、第１全反射面部２０Ｆ、２０Ｇの断面形状は、光軸方向Ｋの前方に向かって口開き状となっている。
【００３０】
一対の第１全反射面部２０Ｆ、２０Ｇの夫々の外方には、屈折部である第５制御面２０Ｈ、２０Ｉが配置されている。第５制御面２０Ｈ、２０Ｉは、柱状レンズ部１９の外面のうち、第１全反射面部２０Ｆ、２０Ｇから連続する凸状の壁面により構成されている。特に、第５制御面２０Ｈ、２０Ｉは、第１全反射面部２０Ｆ、２０Ｇを介して入射された光を遠方の照射エリアに向けて屈折させる。以下、第５制御面２０Ｈ、２０Ｉを、凸状屈折部２０Ｈ、２０Ｉとして説明する。
また、第６制御面２０Ｊ、２０Ｋの夫々が、柱状レンズ部１９の基端側から外側に延在している。第６制御面２０Ｊ、２０Ｋの夫々は、ＬＥＤ２２の光軸方向Ｋに略平行で、列線Ｌ１，Ｌ２の方向に略直交する壁面であり、街路方向Ｇに沿った方向に延在し、第２全反射面部を構成する。以下、第６制御面２０Ｊ、２０Ｋを第２全反射面部２０Ｊ、２０Ｋとする。
【００３１】
次いで、第１全反射面部２０Ｆ、２０Ｇ及び第２全反射面部２０Ｊ、２０Ｋで反射される光について説明する。
図９は第２全反射面部２０Ｊ、２０Ｋに反射される光の配光を説明する図、図１０は第１全反射面部２０Ｆ、２０Ｇに反射される光の配光を説明する図である。
図９及び図１０とも、一つのレンズ部５に特化して光線を図示しているが、他のレンズ部５も同様に配光している。
図９において、光軸方向Ｋは紙面垂直な方向になっている。
ＬＥＤ２２から防犯灯１の背後に向かう光のうち、第２全反射面部２０Ｊ、２０Ｋに到達した光は、反射して街路８の内側に向かう光成分４１を有する。このため、防犯灯１の背後へ向かう光が抑制される。
【００３２】
また、図１０において、ＬＥＤ２２から防犯灯１の背後に向かう光のうち、第１全反射面部２０Ｆ、２０Ｇに到達した主な成分は反射される。この光は、概略街路方向Ｇに沿った方向に向かい、凸状屈折部２０Ｈ、２０Ｉから出射される。凸状屈折部２０Ｈ、２０Ｉで屈折して出射される光成分４２は、ＬＥＤ２２の光軸に対し、主として鉛直角８０°以上の照射光を配光する。凸状屈折部２０Ｈ、２０Ｉから照射される光成分４２は、防犯灯１の近傍の照射エリア８Ｒ１から街路方向Ｇの遠方に離れた照射エリア８Ｒ２（図１１参照）を照射し、そこでの鉛直面照度を高める成分となる。
以上のように、レンズ部５は、防犯灯１の近傍の照射エリア８Ｒ１と、照射エリア８Ｒ１から街路方向Ｇの遠方に離れた照射エリア８Ｒ２にＬＥＤ２２の放射光を配光して、図１に示すように、街路方向Ｇの方向に延びる横長の照射エリアＥを照明する。
【００３３】
図１１は街路８に沿った方向に隣接して設置された防犯灯１の設置態様を示す図であり、凸状屈折部２０Ｈ、２０Ｉで屈折して出射される光の光線図を併せて図示している。なお、同図において、符号８Ｒ１、８Ｒ２は、右側の防犯灯１についての近傍のエリア、及び、その近傍のエリアより遠方での照射エリアを示している。
図１１に示すように、防犯灯１が街路方向Ｇに取付け間隔Ｄをあけて複数設けられる場合、設置台数の削減の観点からは、防犯灯１は、街路８での規定の照度が保たれる範囲で、できるだけ互いの間隔を広くあけて取り付けることが要求される。
前述したように、各防犯灯１は、照射範囲の全域で、路面８Ｒの上方に位置し、街路幅方向Ｗに直交する鉛直面ＥＡにおいて、路面８Ｒから所定高さ（例えば１．５メートル）での照度（鉛直面照度）が、人の顔を認識できる程度の規定の明るさを得られるように設計されている。
基本的には、防犯灯１から離れるほど防犯灯１の光が届きにくくなり、鉛直面照度が下がる。各防犯灯１において、規定の鉛直面照度を満足する照射領域の範囲が街路方向Ｇに広がるほど、図１１に示す防犯灯１の取付け間隔Ｄを広げることができる。
【００３４】
複数の防犯灯１を隣接して設ける場合、街路方向Ｇに関し、規定の鉛直面照度を満たす照射範囲の両端同士が重なるように、防犯灯１の互いの間隔を調整して設置することで、防犯灯１の取付け間隔Ｄを最も広くなる。
以下では、鉛直面照度の規定を満たす範囲にある鉛直面ＥＡのうち、防犯灯１から最も離れた鉛直面ＥＡを遠方の照射エリア８Ｒ２とする。
なお、路面８Ｒの近傍の照射エリア８Ｒ１の水平面照度は、設置された複数の防犯灯１の光を足し合わせた照度が、規定する照度以上になるように規定されている。この規定を満足するように、各防犯灯１から路面８Ｒに向かう光が制御されている。
【００３５】
また、防犯灯１が設置される周囲環境としては、例えば、街路８の外側に隣接して家屋が建てられていたり、街路８の外側に隣接して田んぼや畑があったりする場合がある。防犯灯１の光が家屋に光が入り込むと、住人の生活サイクルを乱す要因となる。また、街路８の外側に隣接して田んぼや畑に光が漏れると、漏れた光が農作物の生長に悪影響を及ぼしたり、光に集まってくる害虫が、農作物に被害を及ぼしたりする要因となる。このような光害を回避するため、防犯灯１の背後への光の照射を更に抑制したいという要求がなされる場合がある。
【００３６】
前述したように、ＬＥＤ２２から防犯灯１の背後に向かって放射された光の多くの成分が、第１全反射面部２０Ｆ、２０Ｇ及び第２全反射面部２０Ｊ、２０Ｋに反射され、防犯灯１の背後に向かう光が抑制される。
また、第１全反射面部２０Ｆ，２０Ｇに反射された光の配光は、凸状屈折部２０Ｈ、２０Ｉでの屈折によって、遠方の照射エリア８Ｒ２に向かうように制御される。つまり、この防犯灯１では、背後に向かう不要な光を抑制するだけでなく、図１１に示すように、遠方の照射エリア８Ｒ２を照射する光成分４２として有効に利用することで、遠方の照射エリア８Ｒ２の鉛直面照度が高められている。
【００３７】
ところで、本実施形態の防犯灯１は、背後への光をより効果的に遮蔽すべく、遮光部材５０を備えている。
即ち、レンズ部５の第１全反射面部２０Ｆ、２０Ｇ、及び第２全反射面部２０Ｊ、２０Ｋによって防犯灯１の背後に向かう光が抑制されるものの、光の漏れを完全に防止するものではない。
例えば、防犯灯１の設置箇所において、防犯灯１の背後の間近に民家がある場合など、防犯灯１の設置箇所によって、防犯灯１の背後への光の漏れを、ほとんど無くしたい状況も考えられる。
本実施形態の防犯灯１の遮光部材５０は、背後の所定範囲に向かう光を遮光するものである。以下、遮光部材５０について、図面を参照しつつ説明する。
【００３８】
図１２は図１のＸＩＩ−ＸＩＩ矢視要部断面図、図１３は遮光部材５０の構成を示す図であり、図１３（Ａ）は平面図、図１３（Ｂ）は側面図、図１３（Ｃ）は正面図である。
前述の図１及び図６において、遮光部材５０は、グローブ６に重ねて設けられて、防犯灯１の背後に向かう光を遮光する。
遮光部材５０は、図１２及び図１３に示すように、光を透過させず、しかも光を反射させない板状部材であることが望ましく、漏れ光規制片５１と、略矩形の遮光片５３とを備えている。遮光部材５０は、アルミ等の金属や光を透過させない樹脂を材料とすることができる。また、光を透過する部材でも、その表面に遮光性の塗料を施したものでもよい。
【００３９】
漏れ光規制片５１は、グローブ６の外形形状と略同じ外形形状の平板状であり、２列６行に配列されたレンズ部５において、街路幅方向Ｗ（列線Ｌ１、Ｌ２に沿った方向）に直交する方向、言い換えれば、各行に並ぶ２つのレンズ部５を突出させるレンズ突出開口５４（開口部）を有している。漏れ光規制片５１は、内面をグローブ６のレンズ突出面６Ｂに重ねて配置される。漏れ光規制片５１は、レンズ部５によって配光されずに、グローブ６を通過しようとする漏れ光を遮る。これにより、レンズ部５の外側のグローブ６の部位から、光が漏れることが抑制される。
また、遮光片５３の各々は、各レンズ突出開口５４の縁部のうち、レンズ部５の背後に位置する縁部から突出されており、いずれも前方に傾斜されている。
【００４０】
具体的には、遮光部材５０は、一枚の板材（板金）を打ち抜いて、複数のレンズ突出開口５４を形成すると共に、レンズ突出開口５４の近傍の一部を切り起こして複数の傾斜した遮光片５３が形成されている。また、切り起こした残りの部位が、平板状の漏れ光規制片５１とされている。
各レンズ突出開口５４において、遮光片５３が突出する縁部と、レンズ部５との間は近接しており、各遮光片５３は、光を遮光する対象となる各レンズ部５に接近する位置に設けられている。また、遮光片５３の先端側は、レンズ部５の一部に被っている。
遮光片５３は、略矩形の平板状とされているが、これに限らず、例えば後ろから前に向けて湾曲する形態であってもよく、この形態に加えて、遮光片５３の先端側が後ろからレンズ部５に被さる形態であってもよい。
【００４１】
ところで、例えば、民家が、街路８の間近で、かつ街路８を挟んで防犯灯１と合い向かいに建てられている場合など、防犯灯１から前方に向けられる光が、街路８を横断して街路８の外側に至ることをできるだけ回避したい場合がある。
そこで、防犯灯１では、図１の形態と比較して、遮光部材５０の前後を逆にして取り付けることで、防犯灯１の前方に向かう光を遮光可能な構成としている。
図１４は遮光部材５０の前後を逆にした防犯灯１を示す図であり、（Ａ）に遮光部材５０を取り外した様子を示し、（Ｂ）に遮光部材５０を、図１の形態と比較して前後を逆にして取り付けた様子を示している。
【００４２】
図１４（Ａ）において、遮光部材５０は、グローブ６とともに基板ベース部２に着脱自在にネジ（不図示）を用いて締着可能な構成であり、締着を解除することで、基板ベース部２から取り外すことが可能になっている。レンズ突出開口５４の各々は、遮光部材５０の前後を逆にしたときでも、各行に並ぶレンズ部５を突出させる位置に配置される。遮光部材５０を逆にして、遮光片５３によってレンズ部５の前方に向かう光を遮光する場合、図１４（Ｂ）に示すように、遮光片５３は、各レンズ突出開口５４から突出されるレンズ部５に対して、レンズ部５の一部に被るように背後に傾斜させて設けられる。
図１４は、基板ベース部２の形態が長方形であるため、遮光部材５０の前後を逆にしているが、この例に限定されない。例えば基板ベース部２が円形や、正方形などの形態であって、この基板ベース部に多列多行に亘ってＬＥＤ２２およびレンズ部を配列したとき、遮光部材５０の組み付け方向を変更し、遮光片の位置を変更することで、光を遮る方向を任意の方向に変更できるようにしてもよい。
図１３（Ｂ）に示すように、漏れ光規制片５１に対する各遮光片５３の傾斜角度θは、同一であり、３８°程度としているが、傾斜角度θは、このものによらない。漏れ光規制片５１の傾斜角度は、防犯灯１の底面３０Ａや、街路８の幅を鑑みて、レンズ部５の前方に向かう光を遮光可能なように、傾斜角度θを設定しておけばよい。
【００４３】
以上説明したように、本実施形態では、各々がレンズ部５で個別に覆われた複数のＬＥＤ２２を同一面内に備えるため、レンズ設計が容易化し、防犯灯１の光学設計が容易化する。また、一個のＬＥＤ２２を単位として、このＬＥＤ２２の個数を増すだけで、発光量の大きい防犯灯１を設計できる。
所定方向に出射される光を遮るための遮光部材５０を、各ＬＥＤ２２に対応させて配置するため、所定方向に向かう光を簡単に遮光することができ、遮光部材５０を、各ＬＥＤ２２に接近させて配置するため、防犯灯１をコンパクトに設計することが可能となる。また、ＬＥＤ２２により配光された直後の光が、遮光部材５０に入射されることになるので、遮光すべきエリアを遮光するための遮光部材５０の光学設計を容易に行うことができる。
【００４４】
また、ＬＥＤ２２が配置されたＬＥＤ基板２１と、レンズ部５が形成されたグローブ６と、遮光部材５０とが重ねて配置されている。遮光部材５０の一部は、レンズ部５の外側で、グローブ６を遮光する漏れ光規制片５１として構成されている。レンズ部５に配光される光だけでなく、レンズ部５の外側に位置するグローブ６の部位から漏れる漏れ光があると、光学設計が難しくなる。本実施形態では、漏れ光が漏れるグローブ６の部位を、遮光部材５０の一部により遮光するので、レンズ部５による配光のみを考えて、光学設計を行うことが可能になり、防犯灯１の光学設計が容易となる。また、ＬＥＤ２２が配置されたＬＥＤ基板２１と、レンズ部５が形成されたグローブ６と、遮光部材５０とが重ねて配置される構成となっているため、これらを重ねて配置するだけで、所定方向に向かう光を遮光する機能を有するフラット光源を簡単に製造できる。
【００４５】
遮光部材５０が、例えば一枚の板材を打ち抜いて切り起こす遮光片５３を備える場合、一枚の板材を打ち抜いて切り起こすだけで、遮光部材５０を作製できるので、この遮光片５３の製造が容易であり、遮光片５３の製造コストを削減できる。
遮光部材５０の複数の遮光片５３が一方向に同一角度で傾斜していれば、全てのレンズ部５において、配光した光のうち遮光する成分が同一となるので、防犯灯１の全体として遮光したいエリアを適格に設定することができる。また、各レンズ部５の構成が、例えば同一形態であれば、複数の遮光片５３が一方向に同一角度で傾斜することで、遮光部材５０の設計が容易となり、この遮光部材５０をグローブ６に重ねるだけで、フラット光源を容易に製造できる。
【００４６】
以上は、複数のＬＥＤ２２を同一面内に配置した例を示したが、単一のＬＥＤ２２で構成した光源にも適用が可能である。
単一のＬＥＤ２２で構成するときには、これを覆うレンズ部がグローブと一体に形成されない場合がある。例えば図示は省略したがレンズ部に一対の耳片を設け、各耳片を基板にねじ止めする。この場合には、当該耳片に上記遮光部材５０を重ね合わせ、この遮光部材５０と共に耳片を共締めすればよい。この際には耳片に重なる遮光部材５０の重なり部が上記漏れ光規制片５１を構成する。
【００４７】
また、レンズ部５は、ＬＥＤ２２を覆い、ＬＥＤ２２の光軸方向Ｋから見た光出射範囲内において、少なくともＬＥＤ２２に相対する位置に複数の曲率または面で形成された複数の屈折部を配置し、且つ、光出射範囲内でＬＥＤ２２の光軸方向Ｋの外縁部から投影される範囲の外側に外れた位置に第１全反射面部２０Ｆ、２０Ｇを配置している。
この構成によれば、照射が不要な方向への光をレンズ部５の第１全反射面部２０Ｆ、２０Ｇにより反射させて、反射させた光を、照度を高めたい照射エリアに向けることで、ＬＥＤ２２の消費電力を増大させずに、例えば、ＬＥＤ２２から遠くに離れた遠方の照射エリア８Ｒ２での鉛直面照度を高めることができる。これに伴い、防犯灯１を複数設置する場合には、互いの間の取付け間隔Ｄを広げて設置できる。
【００４８】
また、第１全反射面部２０Ｆ、２０Ｇが一対で略Ｖ字状に配置され、且つ一対の第１全反射面部２０Ｆ、２０Ｇの夫々の外方に、凸状に形成したレンズの光軸に対して主として８０°以上の照射光を配光するための凸状屈折部２０Ｈ、２０Ｉが配置されている。
この構成によれば、ＬＥＤ２２から外れた位置に、例えば、Ｖ字状の第１全反射面部２０Ｆ、２０Ｇに反射された光を含むＬＥＤ２２の光を、レンズ部５の光軸に対して主として８０°以上の照射光を配光して、凸状屈折部２０Ｈ、２０Ｉから放射できるので、遠方の照射エリア８Ｒ２での鉛直面照度を効率よく高めることができる。
例えば、防犯灯１の高さ位置としては、４〜５ｍ程度であることも多い。このような場合、ＬＥＤ２２を光源とする防犯灯１に対し、ＬＥＤ２２が放射する光の配光をレンズ部５で制御する場合、光の光軸に対する鉛直角として、主として８０°以上を狙うことで、ＬＥＤ２２が、防犯灯１で標準的に利用されるものであっても、防犯灯１の鉛直面照度の規定を満たす街路方向Ｇについての照射範囲を防犯灯１の両側に３０ｍ程度とすることも可能となる。
【００４９】
また、凸状屈折部２０Ｈ、２０Ｉの夫々の外側に、ＬＥＤ２２の光軸方向Ｋに略平行な、ＬＥＤ２２からの光を遮る第２全反射面部（他の全反射面部）２０Ｊ、２０Ｋをさらに備えている。
この構成によれば、例えば、ＬＥＤ２２から放射される光のうち、ＬＥＤ２２の光軸方向Ｋから見て、例えば、ＬＥＤ２２を照射したい正面とは逆側の背面側に向かう方向に第１全反射面部２０Ｆ、２０Ｇと第２全反射面部２０Ｊ、２０Ｋを配置することで、ＬＥＤ２２の背後に照射される光を一層抑制できる。
【００５０】
また、防犯灯１は、ＬＥＤ２２を覆うレンズ部５が、ＬＥＤ２２の光軸方向Ｋから見た光出射範囲内において、少なくともＬＥＤ２２に相対する位置に複数の曲率または面で形成され、主として防犯灯１の近傍の照射エリア８Ｒ１での水平面照度を確保する複数の屈折部を配置し、且つ、光出射範囲内でＬＥＤ２２の光軸方向Ｋの外縁部から投影される範囲の外側に、主として防犯灯１の近傍より遠方の照射エリア８Ｒ２での鉛直面照度を確保する第１全反射面部２０Ｆ、２０Ｇを配置している。
したがって、例えば、防犯灯１を街路８の照明に用いる場合には、屈折部により、照射が必要な領域の水平面照度を確保しつつ、防犯灯１の背後など、照射が不要な方向への光を第１全反射面部２０Ｆ、２０Ｇにより反射させることで、防犯灯１の近傍の照射エリア８Ｒ１より遠方の照射エリア８Ｒ２での鉛直面照度が確保される。防犯灯１の照射が不要な方向への光の漏れを抑制しつつ、ＬＥＤ２２の消費電力を増大させずに、遠方の照射エリア８Ｒ２での鉛直面照度を高めることができる。このため、防犯灯１の光により、防犯灯１の背後の住人や農作物に対して光害を与ることを防止できるとともに、街路方向Ｇに沿って防犯灯１を複数設置する場合には、互いの間隔を広くあけることができ、防犯灯１の設置数を削減できる。
【００５１】
また、防犯灯１では、第１全反射面部２０Ｆ、２０Ｇが一対で略Ｖ字状に配置され、且つ一対の第１全反射面部２０Ｆ、２０Ｇの夫々の外方に凸状とした、レンズ部５の光軸に対して主として鉛直角８０°以上の照射光を配光するための凸状屈折部２０Ｈ、２０Ｉを配置し、防犯灯１の近傍の照射エリア８Ｒ１より遠方の照射エリア８Ｒ２における鉛直面照度を高めている。
上述したように、防犯灯１の高さ位置としては、４〜５ｍ程度であることも多い。このような場合、光の光軸に対する鉛直角を主として８０°以上を狙うことで、ＬＥＤ２２が、防犯灯１で標準的に利用されるものであっても、防犯灯１の遠方の照射エリア８Ｒ２での鉛直面照度の規定を満たす街路方向Ｇについての照射範囲を防犯灯１の両側に３０ｍ程度とすることも可能となる。
【００５２】
また、防犯灯１では、凸状屈折部２０Ｈ、２０Ｉの夫々の外側に、ＬＥＤ２２の光軸に略平行な、ＬＥＤ２２からの光を遮る第２全反射面部２０Ｊ、２０Ｋをさらに備えている。第２全反射面部２０Ｊ、２０Ｋを、防犯灯１の背後に漏れる光を遮る全反射面として利用することで、防犯灯１の背後に漏れる光を一層抑制できる。
【００５３】
［第２実施形態］
図１５は本発明の第２実施形態に係る防犯灯１６０の斜視図であり、（Ａ）は遮光部材６０を取り外した様子を示し、（Ｂ）は遮光部材６０を取り付けた様子を示している。
図１５において、防犯灯１６０は、遮光部材５０に代えて遮光部材６０を有している他は、防犯灯１と同様に構成されている。遮光部材６０は、グローブ６に重ねて設けられている。また、遮光部材６０は、レンズ部５の両側に出射されて、街路方向Ｇに沿って横長に延びる照射エリアＥを形成する光のうち、レンズ部５の一側に向かう光を遮光する。遮光部材６０は、漏れ光規制片６１と、遮光片６３とを備えている。漏れ光規制片６１と、遮光片６３との各機能は、第１実施形態のそれと同一機能とされている。なお、漏れ光規制片６１は、２つのレンズ突出開口６４を有している。各レンズ突出開口６４が、各列に並ぶ６つのレンズ部５を突出させるように形成されている。
第１実施形態の遮光片５３が言わば横列形態とすると、第２実施形態の遮光片６３は言わば縦列形態である。さらに別形態として、レンズ部５が多列多行に数多く配列された場合、遮光片は、言わば斜め配列であってもよい。
【００５４】
この遮光部材６０は第１実施形態の遮光部材５０と同様に、図１５（Ａ）の面内で１８０°反転し、逆向きに取付けも可能である。
この防犯灯１６０によれば、第１実施形態の防犯灯１と同様、レンズ部５により配光された所定の光を遮光するための光学設計を容易に行うことができる。
また、例えば、街路８の曲り角などに設置される場合、レンズ部５から両側に配光される光のうち、一側に配光される光を遮光したい場合がある。このような場合に、遮光片６３を用いることで、レンズ部５から両側に配光される光のうち、一側に配光される光のみを遮光することができる。
【００５５】
［第３実施形態］
図１６は本発明の第３実施形態に係る防犯灯２００の斜視図、図１７は図１６のＸＶＩＩ−ＸＶＩＩ矢視断面図である。
図１６の防犯灯２００は、一対のグレア抑制部材２０１をさらに有する他は、図１の防犯灯１と同様に構成されている。
【００５６】
図１６の防犯灯２００は、図１の防犯灯１と同様に、出射開口２Ａからレンズ部５を突出させているため、器具効率が向上する。
また、防犯灯２００は、出射開口２Ａの壁面にレンズ部５により配光された光が遮られないことから、所定の配光を得るためのレンズ部５の設計が容易となる。この一方で、レンズ部５の配光や、歩行者の往来する箇所によっては、歩行者が防犯灯の照射光により眩しさ（グレア）を感じてしまう虞がある。この防犯灯２００は、グレアを抑制する一対のグレア抑制部材２０１を備えている。
グレア抑制部材２０１は、透過する光を拡散させてグレアを抑制するものであり、ここでは乳白色の樹脂により構成されている。
【００５７】
図１６、及び図１７においてグレア抑制部材２０１は、断面アーチ状の長尺体であり、グローブ６の長辺縁部の略全域に亘って一対設けられている。グレアを制御するグレア抑制部材２０１は、レンズ部５の制御面２０に合わせて形成されている。制御面２０に合わせてグレア抑制部材２０１を形成するとは、レンズ部５の各々から所定方向に出射される光が通過するように、制御面２０の形状に応じてグレア抑制部材２０１を形成することである。
このグレア抑制部材２０１を、レンズ部５で横長方向に配光された光が通過する。ここでの横長方向は、図１の街路方向Ｇに一致しており、防犯灯２００が、街路方向Ｇに広い横長の照射エリアＥを照明する。
このグレア抑制部材２０１を、レンズ部５で横長方向に配光された光が通過するが、ここでの横長方向は、図１の街路方向Ｇに一致しており、防犯灯２００が、街路方向Ｇに広い横長の照射エリアＥを照明する。
一対のグレア抑制部材２０１は、図１７に示すように、先端を互いに対向させて設けられており、先端間は、間隔Ｕをあけて配置されている。横長の方向に配光された光（制御光）がグレア抑制部材２０１を通過する一方で、レンズ部５により前方に配光された光の主要部は、この間隔Ｕの間を通過して、レンズ部５の前方の周辺に位置する路面８Ｒに向かう。即ち、レンズ部５により配光された制御光の出射範囲Ｏには、グレア抑制部材２０１の拡散によってグレアが抑制されるグレア抑制領域Ｑと、当該グレア抑制部材２０１を通過せずに制御光が出射する直接光出射領域Ｐとが含まれる。直接光出射領域Ｐは、レンズ部５の前方に位置する、一対のグレア抑制部材２０１の先端間Ｕを通過して広がる出射領域である。このため、レンズ部５の前方に配光した主要な制御光は、グレア抑制部材２０１を通過しないため、光量を落とすことなく、路面８Ｒに向かう。
ここで、グレアを抑制したい照射領域に向かう制御光の光量を単純に減じて（カットして）グレアを抑制した場合には、器具効率が低下してしまう。防犯灯２００では、グレア抑制部材２０１により拡散された制御光が直接光出射領域に入り込み、当該領域での制御光の光量が補われる構成となっている。このため、グレア抑制部材２０１を設けたことによる器具効率の低下を抑制できる。このように、防犯灯２００では、グレア抑制部材２０１の拡散も含めて、ＬＥＤ２２の放射光を制御している。
【００５８】
ここで、人の目の高さ位置より高い位置に設置される防犯灯などの屋外照明では、鉛直角θＡで７０°〜９０°の照射範囲（グレアゾーン）に出射される制御光は、歩行者の視界に入りやすい。このため、夜間の車両と歩行者の視認性を阻害する事のない適切な屋外の照明の基準おいて、グレアゾーンでのグレアを抑制する適切な対策をとることが推奨されている。そこで、本実施形態の防犯灯２００では、グレア抑制部材２０１を、横長方向に配光されるレンズ部５からの制御光の内、鉛直角θＡで７０°〜９０°の領域での制御光の輝度値を所要な輝度値に規制可能な位置に配置している。
【００５９】
なお、グレア抑制部材２０１は、乳白色などの透過性を有する樹脂シートであって、このシートをレンズ部５の表面一部に張り付けてもよい。別部材としての上記グレア抑制部材２０１が不必要となり、コンパクト化が図れる。
レンズ部５の全部を出射開口２Ａから突出させる構成としたが、レンズ部５の全部を出射開口２Ａから突出させる必要はなく、少なくとも実質的に、照射エリアＥを形成するための配光に寄与する部位が突出していれば、本発明を適用できる。
【００６０】
以上説明したように、本実施形態の防犯灯２００によれば、上述した第１,２実施形態と同様に、レンズ部５で配光される光が出射開口２Ａの壁面に遮られることがなくなるので、器具効率を向上させることができる。また、レンズ部５により配光された所定の光を遮光するための光学設計を容易に行うことができるだけでなく、レンズ部５を出射開口２Ａの開口面から突出した位置に配置し、レンズ部５により配光された光が通過する位置に、光を拡散するグレア抑制部材２０１を配置したので、レンズ部５の設計を変えることなく、簡単にグレアを抑制できる。
【００６１】
［第４実施形態］
図１８は本発明の第４実施形態に係る防犯灯３００の断面図であり、この第４実施形態では、筐体内部に、図１２と同様のフラット光源が配置されている。
このフラット光源は、図１２と同様に、ＬＥＤ基板１２と、レンズ部付のグローブ６と同じ構成のレンズユニット３１０と、遮光部材５０とが順に重ねて設けられている。
この防犯灯３００は、上部筐体３０１と、下部筐体３０２とを備え、上部筐体３０１の下面に上記フラット光源を配置し、下部筐体３０２の下面に設けられた出射開口３１１にガラスカバー３０３を配置して構成されている。
この実施形態では、第１〜３実施形態と異なり、レンズ部５が出射開口３１１から突出されておらず、下部筐体３０２の奥まった位置に配置され、出射開口３１１が、ガラスカバー３０３により覆われている。したがって、レンズ部５を通過した光の一部は、下部筐体３０２の壁部３０２Ａにより遮られる。
この形態であっても、所定方向に放射される光を遮蔽したいとするニーズがあり、本実施形態では、グローブ６の下に遮光部材５０が重ねて配置されている。
この遮光部材５０を設けることにより、所定方向に放射される光を簡単に、かつ精度よく遮蔽することができる。
【００６２】
なお、上述した実施形態は、あくまでも本発明の一態様を例示したものであって、本発明の趣旨を逸脱しない範囲で任意に変形、及び応用が可能である。
上述した各実施形態では、レンズ部５に、第１全反射面部２０Ｆ、２０Ｇ、及び第２全反射面部２０Ｊ、２０Ｋが設けられ、これらによって防犯灯の背後に向かう光が抑制されていた。しかしながら、このような全反射面を持たず、防犯灯の背後に向かう光を抑制することのない、レンズ部に対しても、本発明を適用することができる。このような全反射面を持たない、一般的なレンズ部は、その構成が簡易であり、安価であり、係るレンズ部に対しても本発明の効果が大きい。
【００６３】
また、照明器具の一例として防犯灯を例示したが、これに限らず、頭上配置の各種照明器具に本発明を採用することで同様の効果が得られる。
例えば、防犯灯に限らず、歩行者の頭上から路面８Ｒの正面及びその両側を照明する街路灯や道路灯であってもよい。また、例えば天井などの高所から直下及びその側方を照明する天井灯であってもよい。
また、発光素子の一例としてＬＥＤ２２を例示したが、これに限らず、有機ＥＬ等の他の発光素子でもよい。発光素子たるレンズを、グローブ６に一体に形成されて、グローブ６の一部をなすレンズ部５として記載したが、レンズは、グローブ６の一部をなすものによらず、例えば、単体のレンズを、ＬＥＤ２２毎に設けてもよい。
【符号の説明】
【００６４】
２Ａ、３１１  出射開口
５  レンズ部（光学素子）
６  グローブ
２２  ＬＥＤ（発光素子）
３０  器具本体
５０、６０  遮光部材
５４、６４  レンズ突出開口（開口部）
５３、６３  遮光片
【図１】
2014116143.tif 000003
【図２】
2014116143.tif 000004
【図３】
2014116143.tif 000005
【図４】
2014116143.tif 000006
【図５】
2014116143.tif 000007
【図６】
2014116143.tif 000008
【図７】
2014116143.tif 000009
【図８】
2014116143.tif 000010
【図９】
2014116143.tif 000011
【図１０】
2014116143.tif 000012
【図１１】
2014116143.tif 000013
【図１２】
2014116143.tif 000014
【図１３】
2014116143.tif 000015
【図１４】
2014116143.tif 000016
【図１５】
2014116143.tif 000017
【図１６】
2014116143.tif 000018
【図１７】
2014116143.tif 000019
【図１８】
2014116143.tif 000020